(57)【要約】【課題】音楽ファイル及び画像ファイルが格納されたサーバ装置に接続するためのユーザ操作が入力されたときに、過去の再生履歴に基づいてサーバ装置との接続を復元して、再生を実行することが可能なコンテンツ再生装置を提供する。【解決手段】コンテンツ再生装置は、サーバ装置との接続部と、サーバ装置内の音楽ファイルを再生して音声出力する音声出力部（ＤＬＮＡ再生部２６、スピーカ２１等）と、サーバ装置内の画像ファイルを再生して表示する表示部（ＤＬＮＡ再生部２６、表示部１７等）と、履歴記憶部及び再生制御部（ＤＬＮＡ再生部２６）とを備える。履歴記録部は、再生した音楽ファイルへのパス及び再生した画像ファイルへのパスを再生履歴として記録する。再生制御部は、サーバ装置に接続するためのユーザ操作が入力されたときに、再生履歴に基づき接続部を介した接続を復元して音声出力部及び表示部での再生を実行させる復元再生制御を行う。【選択図】図１
2010258778.tif 000002
【特許請求の範囲】
【請求項１】
音楽ファイル及び画像ファイルが格納されたサーバ装置にネットワークを介して接続する接続部と、前記音楽ファイルを再生して音声出力する音声出力部と、前記画像ファイルを再生して表示する表示部とを備えたコンテンツ再生装置であって、
前記音声出力部で再生した音楽ファイルへのパス及び前記表示部で再生した画像ファイルへのパスを再生履歴として記録する履歴記録部と、前記サーバ装置に接続するためのユーザ操作が入力されたときに復元再生制御を行う再生制御部とをさらに備え、
前記復元再生制御は、前記再生履歴に基づき前記接続部を介した接続を復元して、前記音声出力部及び前記表示部での再生を実行させることを特徴とするコンテンツ再生装置。
【請求項２】
請求項１に記載のコンテンツ再生装置において、前記復元再生制御を実行する自動画像再生モードをオンするか否かを、ユーザ操作により設定するモード設定部を備えることを特徴とするコンテンツ再生装置。
【請求項３】
請求項１又は２に記載のコンテンツ再生装置において、前記復元再生制御は、前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させることを特徴とするコンテンツ再生装置。
【請求項４】
請求項１又は２に記載のコンテンツ再生装置において、前記復元再生制御は、前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させることを特徴とするコンテンツ再生装置。
【請求項５】
請求項１又は２に記載のコンテンツ再生装置において、前記復元再生制御として、
前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させる第１の復元再生制御と、
前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させる第２の復元再生制御とのうち、
いずれを実行するかを、ユーザ操作により設定する復元方法設定部を備えたことを特徴とするコンテンツ再生装置。
【請求項６】
請求項１又は２に記載のコンテンツ再生装置において、前記復元再生制御は、前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させることを特徴とするコンテンツ再生装置。
【請求項７】
請求項１又は２に記載のコンテンツ再生装置において、前記復元再生制御は、前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させることを特徴とするコンテンツ再生装置。
【請求項８】
請求項１又は２に記載のコンテンツ再生装置において、前記復元再生制御として、
前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させる第１の復元再生制御と、
前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させる第２の復元再生制御とのうち、
いずれを実行するかを、ユーザ操作により設定する復元方法設定部を備えたことを特徴とするコンテンツ再生装置。
【請求項９】
請求項１又は２に記載のコンテンツ再生装置において、
前記再生制御部は、前記復元再生制御として、
前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させる第１の復元再生制御と、
前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させる第２の復元再生制御と、
前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させる第３の復元再生制御と、
前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させる第４の復元再生制御と、のうち複数の復元再生制御が実行可能となっており、
前記コンテンツ再生装置は、前記複数の復元再生制御のうちいずれを実行するかを、ユーザ操作により設定する復元方法設定部を備えたことを特徴とするコンテンツ再生装置。
【請求項１０】
請求項３〜９のいずれか１項に記載のコンテンツ再生装置において、前記再生制御部は、前記復元再生制御の際に、再生の対象となる音楽ファイル又は画像ファイルが見つからない場合、前回より前に再生した音楽ファイル又は画像ファイルに関するパスへの接続を復元することを特徴とするコンテンツ再生装置。
【請求項１１】
請求項３〜１０のいずれか１項に記載のコンテンツ再生装置において、前記再生制御部は、前記復元再生制御の際に、再生の対象となる音楽ファイルが見つからない場合、前記コンテンツ再生装置に予め格納した音楽ファイルを再生させることを特徴とするコンテンツ再生装置。
【請求項１２】
請求項３〜１１のいずれか１項に記載のコンテンツ再生装置において、前記再生制御部は、前記復元再生制御の際に、再生の対象となる画像ファイルが見つからない場合、前記コンテンツ再生装置に予め格納した画像ファイルを再生させることを特徴とするコンテンツ再生装置。
【請求項１３】
請求項１〜１２のいずれか１項に記載のコンテンツ再生装置において、前記再生制御部は、前記サーバ装置に接続するためのユーザ操作の種類に応じて、復元方法を変えることを特徴とするコンテンツ再生装置。
【請求項１４】
請求項１又は２に記載のコンテンツ再生装置において、
前記再生制御部は、前記復元再生制御として、
前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させる第１の復元再生制御と、
前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させる第２の復元再生制御と、
前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させる第３の復元再生制御と、
前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させる第４の復元再生制御と、のうち複数の復元再生制御が実行可能となっており、
前記再生制御部は、前記サーバ装置に接続するためのユーザ操作の種類に応じて、復元方法を変えることを特徴とするコンテンツ再生装置。
【発明の詳細な説明】
【技術分野】
【０００１】
本発明は、コンテンツ再生装置に関し、より詳細には、ホームサーバ等のサーバ装置に接続して、サーバ装置内に格納された音楽ファイルや画像ファイルを再生することが可能なコンテンツ再生装置に関する。
【背景技術】
【０００２】
従来のテレビ装置で、ネットワーク上のメディアコンテンツを再生する場合、所望のメディアコンテンツを選択するために必要となる操作ステップ数が多く、ユーザに対し不便な操作を強いていた。
【０００３】
例えば、テレビ装置でＤＬＮＡ（Digital Living Network Alliance）プレーヤを利用する際に、ユーザが再生を所望するコンテンツが階層の深いフォルダの中に格納されている場合を想定する。その場合、ユーザはまず複数のサーバ装置から所望のサーバ装置を選択し、次に選択したサーバ装置のルートフォルダから、所望のコンテンツが存在するフォルダまで一階層ずつ辿る必要がある。喩えそのフォルダを以前に利用したことがあっても、再度、同じ手順を繰り返さなくてはならない。
【０００４】
一方で、テレビ装置でテレビ放送を視聴する場合、一般的に直ぐに映像と音声が再生される。しかし、ネットワーク上のメディアコンテンツを扱う場合は、上述の通り、まずサーバを選択する画面が表示され、そこからサーバ選択し、次にフォルダを選択し、という手順の後、ようやくコンテンツが再生される。このように、テレビ画面で素早くネットワーク上のコンテンツを楽しみたいというユーザのニーズを満たすことができていない。
【０００５】
特許文献１には、簡単な操作で、一番最後に再生された楽曲データが保存されているフォルダの楽曲データから再生を開始することが可能なデータ再生装置が開示されている。このデータ再生装置では、記録媒体上に階層状に作成された複数のフォルダに保存された楽曲データの内、一番最後に再生された楽曲データが保存されているフォルダを示すフォルダ情報を記憶しておき、その記録媒体が装着され再生ボタンが選択されたときに、そのフォルダ情報が示すフォルダに保存されている楽曲データから順番に再生する。
【先行技術文献】
【特許文献】
【０００６】
【特許文献１】特開２００２−２６９９１５号公報
【発明の概要】
【発明が解決しようとする課題】
【０００７】
特許文献１に記載の技術は、最後に再生したフォルダにある音楽を、次回起動時に再生することができるが、テレビ装置とサーバ装置とで構成されたシステムのように、サーバ装置内の映像ファイルの再生を音声ファイルの出力と組み合わせて行うことが求められる場合には、この技術を単純に適用できるものではない。
【０００８】
また、次回起動時におけるコンテンツの再生方法について、あるユーザは前回再生した写真や音楽を直ぐに再生してほしいと考え、一方で別のユーザは前回再生した音楽や写真を再生まではしなくとも一覧を表示してほしいと考えることが想定できるが、特許文献１ではこのようなユーザの要求を満たすことができない。
【０００９】
さらに、ネットワーク上のサーバ装置から写真や音楽を取得し再生する場合、サーバ装置がダウンしている場合や既に対象のファイルが削除や移動されている場合には、再生できないといった問題もある。
【００１０】
本発明は、上述のような実状に鑑みてなされたものであり、その目的は、音楽ファイル及び画像ファイルが格納されたサーバ装置に接続するためのユーザ操作が入力されたときに、過去の再生履歴に基づいてサーバ装置との接続を復元して、再生を実行することが可能なコンテンツ再生装置を提供することにある。
【００１１】
また、本発明の他の目的は、音楽ファイル及び画像ファイルが格納されたサーバ装置に接続するためのユーザ操作が入力されたときに、過去の再生履歴に基づいてサーバ装置との接続を復元して、再生を実行することが可能であって、且つ、サーバ装置がダウンしている場合や既に再生対象のファイルが削除又は移動されている場合であっても、常に適当な音楽ファイル及び画像ファイルを再生することが可能なコンテンツ再生装置を提供することにある。
【課題を解決するための手段】
【００１２】
上述の課題を解決するために、本発明の第１の技術手段は、音楽ファイル及び画像ファイルが格納されたサーバ装置にネットワークを介して接続する接続部と、前記音楽ファイルを再生して音声出力する音声出力部と、前記画像ファイルを再生して表示する表示部とを備えたコンテンツ再生装置であって、前記音声出力部で再生した音楽ファイルへのパス及び前記表示部で再生した画像ファイルへのパスを再生履歴として記録する履歴記録部と、前記サーバ装置に接続するためのユーザ操作が入力されたときに復元再生制御を行う再生制御部とをさらに備え、前記復元再生制御は、前記再生履歴に基づき前記接続部を介した接続を復元して、前記音声出力部及び前記表示部での再生を実行させることを特徴としたものである。
【００１３】
第２の技術手段は、第１の技術手段において、前記復元再生制御を実行する自動画像再生モードをオンするか否かを、ユーザ操作により設定するモード設定部を備えることを特徴としたものである。
【００１４】
第３の技術手段は、第１又は第２の技術手段において、前記復元再生制御は、前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させることを特徴としたものである。
【００１５】
第４の技術手段は、第１又は第２の技術手段において、前記復元再生制御は、前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させることを特徴としたものである。
【００１６】
第５の技術手段は、第１又は第２の技術手段において、前記復元再生制御として、前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させる第１の復元再生制御と、前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させる第２の復元再生制御とのうち、いずれを実行するかを、ユーザ操作により設定する復元方法設定部を備えたことを特徴としたものである。
【００１７】
第６の技術手段は、第１又は第２の技術手段において、前記復元再生制御は、前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させることを特徴としたものである。
【００１８】
第７の技術手段は、第１又は第２の技術手段において、前記復元再生制御は、前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させることを特徴としたものである。
【００１９】
第８の技術手段は、第１又は第２の技術手段において、前記復元再生制御として、前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させる第１の復元再生制御と、前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させる第２の復元再生制御とのうち、いずれを実行するかを、ユーザ操作により設定する復元方法設定部を備えたことを特徴としたものである。
【００２０】
第９の技術手段は、第１又は第２の技術手段において、前記再生制御部は、前記復元再生制御として、前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させる第１の復元再生制御と、前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させる第２の復元再生制御と、前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させる第３の復元再生制御と、前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させる第４の復元再生制御と、のうち複数の復元再生制御が実行可能となっており、前記コンテンツ再生装置は、前記複数の復元再生制御のうちいずれを実行するかを、ユーザ操作により設定する復元方法設定部を備えたことを特徴としたものである。
【００２１】
第１０の技術手段は、第３〜第９のいずれかの技術手段において、前記再生制御部は、前記復元再生制御の際に、再生の対象となる音楽ファイル又は画像ファイルが見つからない場合、前回より前に再生した音楽ファイル又は画像ファイルに関するパスへの接続を復元することを特徴としたものである。
【００２２】
第１１の技術手段は、第３〜第１０のいずれかの技術手段において、前記再生制御部は、前記復元再生制御の際に、再生の対象となる音楽ファイルが見つからない場合、前記コンテンツ再生装置に予め格納した音楽ファイルを再生させることを特徴としたものである。
【００２３】
第１２の技術手段は、第３〜第１１のいずれかの技術手段において、前記再生制御部は、前記復元再生制御の際に、再生の対象となる画像ファイルが見つからない場合、前記コンテンツ再生装置に予め格納した画像ファイルを再生させることを特徴としたものである。
【００２４】
第１３の技術手段は、第１〜第１２のいずれかの技術手段において、前記再生制御部は、前記サーバ装置に接続するためのユーザ操作の種類に応じて、復元方法を変えることを特徴としたものである。
【００２５】
第１４の技術手段は、第１又は第２の技術手段において、前記再生制御部は、前記復元再生制御として、前記再生履歴から、前回最後に再生した音楽ファイルが格納されたフォルダを示すパスへの接続を復元して、接続したフォルダ内の音楽ファイルを前記音声出力部で再生させると共に、前回最後に再生した画像ファイルが格納されたフォルダを示すパスへの接続を復元して、接続したフォルダ内の画像ファイルを前記表示部で再生させる第１の復元再生制御と、前記再生履歴から、前回最後に再生した音楽ファイルを示すパスへの接続を復元して、該音楽ファイルを前記音声出力部で再生させると共に、前回最後に再生した画像ファイルを示すパスへの接続を復元して、該画像ファイルを前記表示部で再生させる第２の復元再生制御と、前記再生履歴から、前回最後に再生した音楽ファイルが格納されたフォルダの次のフォルダを示すパスへの接続を復元して、接続したフォルダ内の音楽ファイルを前記音声出力部で再生させると共に、前回最後に再生した画像ファイルが格納されたフォルダの次のフォルダを示すパスへの接続を復元して、接続したフォルダ内の画像ファイルを前記表示部で再生させる第３の復元再生制御と、前記再生履歴から、前回最後に再生した音楽ファイルの次の音楽ファイルを示すパスへの接続を復元して、該音楽ファイルを前記音声出力部で再生させると共に、前回最後に再生した画像ファイルの次の画像ファイルを示すパスへの接続を復元して、該画像ファイルを前記表示部で再生させる第４の復元再生制御と、のうち複数の復元再生制御が実行可能となっており、前記再生制御部は、前記サーバ装置に接続するためのユーザ操作の種類に応じて、復元方法を変えることを特徴としたものである。
【発明の効果】
【００２６】
本発明に係るコンテンツ再生装置によれば、音楽ファイル及び画像ファイルが格納されたサーバ装置に接続するためのユーザ操作が入力されたときに、過去の再生履歴に基づいてサーバ装置との接続を復元して、再生を実行することが可能になる。
【００２７】
また、本発明の他の形態に係るコンテンツ再生装置によれば、さらに、サーバ装置がダウンしている場合や既に再生対象のファイルが削除又は移動されている場合であっても、常に適当な音楽ファイル及び画像ファイルを再生することが可能になる。
【図面の簡単な説明】
【００２８】
【図１】本発明に係るコンテンツ再生装置の一構成例を示すブロック図である。
【図２】図１のコンテンツ再生装置（テレビ装置）におけるコンテンツ選択部の一構成例を示すブロック図である。
【図３】図１のコンテンツ再生装置（テレビ装置）における再生処理の一例を説明するためのフロー図である。
【図４】図３の再生処理において再生履歴無し時に表示されるＵＩ画像の一例を示す図である。
【図５】図４のＵＩ画像において「写真を見る」をユーザが選択したときに表示されるＵＩ画像の一例を示す図である。
【図６】図５のＵＩ画像において「ｓｅｒｖｅｒ０３」をユーザが選択したときに表示されるＵＩ画像の一例を示す図である。
【図７】図６のＵＩ画像において「ＰＨＯＴＯ」をユーザが選択し、さらに下層のフォルダ「ＰＨＯＴＯ０１」をユーザが選択したときに表示されるＵＩ画像の一例を示す図である。
【図８】図７のＵＩ画像において「２００７０５−スペイン」をユーザが選択したときに表示される写真を含むＵＩ画像の一例を示す図である。
【図９】図８のＵＩ画像において「メニュー表示」をユーザが選択したときに表示されるＵＩ画像の一例を示す図である。
【図１０】図４のＵＩ画像において「音楽を聴く」をユーザが選択し、さらに下層のフォルダ「ＭＵＳＩＣ０１」をユーザが選択したときに表示されるＵＩ画像の一例を示す図である。
【図１１】図１０のＵＩ画像において「Ｗｏｕｌｄ’ｎｔ  ｉｔ  ｂｅ  ｎｉｃｅ」をユーザが選択したときに表示されるＵＩ画像の一例を示す図である。
【図１２】図１のコンテンツ再生装置（テレビ装置）において実行される再生処理のうち、図３におけるフォトフレームモード／レジュームモードでの処理の一例を説明するためのフロー図である。
【図１３】図１２の処理においてフォトフレームモード時に表示されるＵＩ画像の例を示す図である。
【図１４】図１２の処理においてレジュームモード時に表示されるＵＩ画像の例を示す図である。
【図１５】図１４のＵＩ画像において「写真を見る」をユーザが選択したときに表示されるＵＩ画像の一例を示す図である。
【図１６】図１のテレビ装置において実行される再生処理のうち、フォトフレームモードでの他の処理例を説明するためのフロー図である。
【発明を実施するための形態】
【００２９】
本発明に係るコンテンツ再生装置は、以下に説明するテレビ装置（テレビ受像機）に限らず、表示部及び音声出力部を備え且つ音楽ファイルと画像ファイルの再生が可能な機器であれば適用でき、例えばデジタルフォトプレーヤや携帯電話機にも適用することができる。また、本発明に係るコンテンツ再生装置がＤＬＮＡプレーヤ（つまり、ＤＭＰ：Digital Media Player）であり、サーバ装置がＤＭＳ（Digital Media Server）であることを前提として説明するが、これに限ったものではない。
【００３０】
また、画像ファイルとしては、写真ファイルを例に挙げて説明するが、他の静止画像であってもよく、ＭＰＥＧ（Moving Picture Experts Group）−２形式等の動画像のファイルであっても適用することは可能である。動画像のファイルの場合、後述のスライドショーとしては動画像ファイルの連続した再生を行えばよい。写真ファイルとしては、ＪＰＥＧ（Joint Photographic Experts Group）形式の圧縮データを前提とするが、他の形式のデータに対応させることもできる。また、音楽ファイルは、楽曲ファイル、音声ファイルなどとも言う。なお、音楽ファイルとしては、ＭＰ３形式の圧縮データ、ＷＭＡ形式の圧縮データ、ＷＡＶ形式の非圧縮データなど、どのようなファイル形式であってもよい。
【００３１】
図１は、本発明に係るコンテンツ再生装置の一構成例を示すブロック図で、本発明に係るコンテンツ再生装置の一例として、デジタルチューナを備えたテレビ装置を適用した例を示すものである。また、図２は、図１のテレビ装置におけるコンテンツ選択部の一構成例を示すブロック図である。
【００３２】
図１で例示するテレビ装置において、アンテナ１０で受信したデジタル放送の受信信号は、チューナ１１で選局され、復調部１２で復調される。復調されたデジタル放送信号のうちの映像信号は映像デコーダ１４でデコードされ、音声信号は音声デコーダ１８にてデコードされる。
【００３３】
映像デコーダ１４でデコードされた映像信号は、画質補正部１５にて画質補正が行われ、表示部１７で表示される。ここで、画質補正部１５では、デコードされ入力された映像信号に対して各種映像処理を施し、表示部１７に表示するための映像信号を出力する。各種映像処理とは、入力された映像信号のフォーマットに応じて必要な映像処理、例えば色空間変換処理、ＩＰ（Interlace-Progressive）変換処理、スケーリング処理、ＦＲＣ（Frame Rate Control）処理、γ補正処理、色補正処理、同期検出処理などを指す。
【００３４】
表示部１７は、例えば液晶パネルとバックライトとを備えたもので、画質補正部１５から出力された映像信号に基づいて、映像表示を行う。バックライト制御部２２は、マイコン２７の指示に従って、表示部１７のバックライトの明るさを制御する。マイコン２７は、入力した映像信号のＡＰＬ（Average Picture Level）などの映像特徴量に応じてバックライトの明るさを変換させるような制御を行ってもよい。
【００３５】
ＯＳＤ（On Screen Display）制御部１３は、マイコン２７によるＯＳＤ信号の生成指示に基づいて、表示部１７に表示させるＯＳＤ信号を生成する制御を行う。また、受信した放送チャンネルの放送信号に含まれるデータ信号のＯＳＤ情報に従ってＯＳＤ信号を生成する制御を行う。ＯＳＤ信号により表示される情報としては、例えば、画面上で選択操作を行うためのカーソルや、各種設定用のメニュー、ＥＰＧ（Electronic Program Guide）、ＣＨ（チャンネル）コール、さらには後述する各ＵＩ（User Interface）画像などがある。
【００３６】
また、音声デコーダ１８でデコードされた音声信号は、音質補正部１９にて音質補正が施され、Ｄ／Ａ変換部２０でデジタル信号からアナログ信号へ変換され、スピーカ２１によって音声出力される。
【００３７】
通信制御部２４及びＤＬＮＡ処理部２５は、音楽ファイル及び写真ファイルが格納されたサーバ装置にネットワークを介して接続する接続部の一例である。このサーバ装置は、写真ファイル等の画像ファイルと音楽ファイルとが、テレビ装置から読み出し可能に、例えば内蔵したＨＤＤ（Hard Disk Drive）などに格納できればよい。また、接続可能なサーバ装置は、当然、１台に限ったものではなく、複数台であってもよい。
【００３８】
通信制御部２４は、イーサネット（登録商標）に準拠しＬＡＮ（Local Area Network）上でデータを送受信するための制御を行うＬＡＮアダプタ等で構成される。以下、通信制御部２４は、ＬＡＮ端子をもつＬＡＮアダプタであることを前提として説明するが、ＩＥＥＥ８０２．１１準拠の無線ＬＡＮアダプタを採用してもよい。
【００３９】
ＤＬＮＡ処理部２５は、通信制御部２４に通信を指示する通信指示部、通信制御部２４でのデータ通信時にＤＬＮＡプロトコルを解析するプロトコル解析部、及び再生処理を行う再生処理部などで主に構成される。
【００４０】
再生処理部は、マイコン２７からの指示に基づきコンテンツ選択部２６にコンテンツの選択を指示する。例えば、再生履歴の有無の問合せを行ってから、再生履歴有り場合にのみ選択を指示するようにしてもよい。通信指示部は、コンテンツ選択部２６（実際には後述する接続復元部）からの通信要求によっても通信制御部２４に通信を指示する。また、再生処理部は、コンテンツ選択部２６で選択され通信制御部２４で受信したサーバ装置上のコンテンツを、適宜解凍などしながら再生する。
【００４１】
ＤＬＮＡ処理部２５の再生処理部で再生された音楽ファイルのデータは、Ｄ／Ａ変換部２０に出力されてＤ／Ａ変換が施され、スピーカ２１から音声として出力される。このデータは、音質補正部１９に出力されて音質補正が施された後、Ｄ／Ａ変換部２０に渡されてもよい。このように、ＤＬＮＡ処理部２５、Ｄ／Ａ変換部２０、スピーカ２１（及び音質補正部１９）は、サーバ装置上の音楽ファイルを再生して音声出力する音声出力部の一例である。
【００４２】
また、ＤＬＮＡ処理部２５の再生処理部で再生された写真ファイルのデータは、表示部１７に画像として表示される。このデータは、画質補正部１５に出力されて画質補正が施された後、表示部１７に出力されてもよい。このように、ＤＬＮＡ処理部２５、表示部１７（及び画質補正部１５）は、サーバ装置上の写真ファイルを再生して表示する表示部の一例である。
【００４３】
コンテンツ選択部２６は、図２に示すように接続復元部３１、履歴管理部３２、及び履歴データベース（履歴ＤＢ）３３を有している。履歴管理部３２は、ＤＬＮＡ処理部２５で再生処理されたサーバ装置上のコンテンツについての再生履歴を、履歴ＤＢ３３に記録すると共に、その再生履歴のレコードを管理する。再生履歴としては、例えば、再生処理されたコンテンツへのパス（音楽ファイルへのパス、写真ファイルへのパス）を記録しておけばよく、以下の例ではこのような記録を前提に説明するが、再生処理されたコンテンツのフォルダへのパスまでのみ記録しておいてもよい。コンテンツへのパスには、当然、そのコンテンツが格納されているサーバ装置やフォルダへのパスも含まれることになる。このように、履歴管理部３２及び履歴ＤＢ３３は、音声出力部で再生した音楽ファイルへのパス及び表示部で再生した写真ファイルへのパスを再生履歴として記録する履歴記録部の一例である。
【００４４】
接続復元部３１は、ＤＬＮＡ処理部２５からの指示により、履歴管理部３２に再生履歴を読み出すよう指示する。履歴管理部３２は、接続復元部３１からの指示によりその再生履歴を読み出して接続復元部３１に渡す。
【００４５】
接続復元部３１は、再生履歴読み出しの指示に対する応答として受け取った再生履歴に基づき、再生の対象となるコンテンツを選択し、そのコンテンツへの接続を復元するよう、そのコンテンツへのパスを伴う通信要求をＤＬＮＡ処理部２５に伝える。このように、接続復元部３１は、ＤＬＮＡ処理部２５からの指示時（後述するようにＤＬＮＡ機能の起動時）に、再生履歴に応じてサーバ装置への接続を復元する。なお、再生履歴と再生の対象となるコンテンツとの関係については、様々な例を挙げて後述する。ＤＬＮＡ処理部２５の通信指示部がそのパスに接続するよう通信制御部２４を制御することで、コンテンツの選択が可能になり、ＤＬＮＡ処理部２５の再生処理部が再生を実行できる。
【００４６】
なお、コンテンツ選択部２６は、起動状態検知部３４及びユーザ適応部３５を有している。以下、まず起動状態検知部３４及びユーザ適応部３５を設けない例を説明し、その後、設けた例について説明する。
【００４７】
ＤＬＮＡ処理部２５及びコンテンツ選択部２６は、主に、コンテンツの再生や選択等を実行するためのプログラムを記録したＲＯＭ（Read Only Memory）、そのプログラムの実行の作業領域となるＲＡＭ（Random Access Memory）、並びに、履歴ＤＢやユーザ設定の格納領域などとなるＥＥＰＲＯＭ（Electrically Erasable and Programmable ROM）等の書き換え可能なメモリで構成できる。
【００４８】
マイコン２７は、ＤＬＮＡ処理部２５をはじめとするテレビ装置の各部を制御する主制御部の一例である。ＲＯＭ２９には、このテレビ装置の動作を制御するプログラムや各種データが保持され、マイコン２７がこれらプログラムやデータを用いて制御を行う。ＲＡＭ２８は、データの一時保存に使用され、またプログラム実行時の作業領域として使用される。
【００４９】
Ｒ／Ｃ受信部２３は、図示しないリモコンから送信される制御コード信号を受信し、マイコン２７に送出する。マイコン２７は、Ｒ／Ｃ受信部２３から送られた制御コード信号に従って所定の制御を行うことになる。リモコン及びＲ／Ｃ受信部２３は、ユーザ操作を受け付けるユーザ操作部に該当する。このユーザ操作部は、テレビ装置本体側にボタン（キー）群を設けた本体操作部として具備してもよい。以下、ユーザ操作はリモコンによりなされることを前提に説明するが、本体操作部でなされてもよい。
【００５０】
また、図１のテレビ装置は、外部機器からの入力を可能とするための複数の外部入力端子が備えられ、外部入力端子群及びチューナ１１（ＴＶ入力）の中からいずれを入力とするかを切り替える操作が、リモコンにより可能となっている。外部入力端子としては、通信制御部２４に設けられたＬＡＮ端子の他に、ＵＳＢ（Universal Serial Bus）入力端子、Ｄ端子、Ｓ端子、ビデオ端子、ＨＤＭＩ（High-Definition Multimedia Interface）端子などが挙げられる。
【００５１】
ＤＬＮＡ処理部２５は、上述のようにマイコン２７からの指示に基づきコンテンツ選択部２６にコンテンツの選択を指示するが、そのマイコン２７からの指示とは、リモコンにより入力がＬＡＮ端子に切り替える操作がなされたときや、前回ＤＬＮＡ処理部２５で再生が行われていたときや再生が終了したときに電源がオフされ、再度オンされたときなど、サーバ装置に接続するためのユーザ操作（この例ではＤＬＮＡ機能を使用するためのユーザ操作）が入力されたときになされる。
【００５２】
上述したように、ＤＬＮＡ処理部２５及びコンテンツ選択部２６は、サーバ装置に接続するためのユーザ操作が入力されたときに、次の復元再生制御を行う再生制御部の一例である。この復元再生制御は、履歴ＤＢ３３に記録された再生履歴に基づき通信制御部２４を介した接続を復元して、音声出力部及び表示部での再生を実行させる。ここで再生対象となるのは、再生履歴に基づく音楽ファイル及び写真ファイルとなる。
【００５３】
このようなテレビ装置によれば、音楽ファイル及び写真ファイルが格納されたサーバ装置に接続するためのユーザ操作が入力されたときに、過去の再生履歴に基づいてサーバ装置との接続を復元して、再生を実行することが可能になる。
【００５４】
つまり、本発明のテレビ装置は、自動的に上記復元再生制御を実行して写真等の画像及び音楽を再生する自動画像再生機能を備える。この例では、ＤＬＮＡ機能の１つとして自動画像再生機能をテレビ装置に付加している。この機能を使うと、テレビを起動しＤＬＮＡを選択した際、前回利用したサーバへの接続を復元し、即座に例えばＢＧＭ付きスライドショーを開始するといった処理も実行できる。
【００５５】
従来の実装では、ＤＬＮＡ機能を起動すると常にサーバ装置の選択や再生対象のファイルの選択の画面から開始したが、自動画像再生機能により、ＤＬＮＡ機能の起動時に直ぐに写真と音楽が再生できる、よりテレビ装置らしい機能をユーザに提供することができる。つまり、テレビ装置でネットワーク上のメディアコンテンツを再生する場合にも、テレビ放送を視聴場合と同様に、直ぐに写真と音楽のファイルが再生されることになる。この効果は、直ぐ映像を楽しめる新たなチャンネルが追加される効果と同等であり、ユーザの楽しみ方の幅が広がる。さらに、テレビ装置でネットワーク上のメディアコンテンツを選択する際に、ユーザが行うべき操作ステップが大幅に減少され、利便性が向上する。複雑な操作に慣れていないユーザでも容易にＤＬＮＡ機能を利用することができ、その利用頻度を向上させることもできる。また、映像と音声が別々のサーバ装置から提供され、それらを組み合わせて再生するという利用パターンにも対応することができる。
【００５６】
以下、再生履歴と再生対象となるコンテンツとの関係の例も含め、本発明のテレビ装置における処理の具体例を、再生履歴が無しの状態から説明する。なお、上述した音声出力部での再生、表示部での再生は、上述したようにＤＬＮＡ処理部２５での再生処理を含むが、説明の簡略化のため、以下の例ではそれぞれスピーカ２１での再生、表示部１７での再生として説明する。
【００５７】
図３は、図１のテレビ装置における再生処理の一例を説明するためのフロー図、図４は、図３の再生処理において再生履歴無し時に表示されるＵＩ画像の一例を示す図である。また、図５は、図４のＵＩ画像において「写真を見る」をユーザが選択したときに表示されるＵＩ画像の一例を示す図、図６は、図５のＵＩ画像において「ｓｅｒｖｅｒ０３」をユーザが選択したときに表示されるＵＩ画像の一例を示す図である。
【００５８】
また、図７は、図６のＵＩ画像において「ＰＨＯＴＯ」をユーザが選択し、さらに下層のフォルダ「ＰＨＯＴＯ０１」をユーザが選択したときに表示されるＵＩ画像の一例を示す図、図８は、図７のＵＩ画像において「２００７０５−スペイン」をユーザが選択したときに表示される写真を含むＵＩ画像の一例を示す図、図９は、図８のＵＩ画像において「メニュー表示」をユーザが選択したときに表示されるＵＩ画像の一例を示す図である。
【００５９】
図３の流れに沿って処理例を説明する。マイコン２７からの指示によりＤＬＮＡ機能を起動する際、まずＤＬＮＡ処理部２５がコンテンツ選択部２６にコンテンツの再生履歴の有無を確認させ、コンテンツ選択部２６が履歴ＤＢ３３の再生履歴を読み出す（ステップＳ１）。コンテンツ選択部２６はその読み出した結果から再生履歴の有無を判定し（ステップＳ２）、再生履歴が存在した場合（ステップＳ２でＹＥＳの場合）には、後述するフォトフレームモード又はレジュームモードでの処理を実行する（ステップＳ１５）。
【００６０】
初回起動時、つまり前回アクセスしたサーバ装置が無い場合、又はサーバ装置へのアクセスは行ったが再生を行っていない場合には、再生履歴が存在しない。このような場合、ステップＳ２でＮＯと判定される。このとき、コンテンツ選択部２６は、初期画面として、ＵＩ画像４０のような、接続先やフォルダが未選択となったＵＩ画像を表示部１７に表示させる（ステップＳ３）。ＵＩ画像４０には、「写真を見る」の画像４０ａ、「音楽を聴く」の画像４０ｂがユーザ選択可能に表示されている。
【００６１】
コンテンツ選択部２６は、このうちいずれかがユーザ選択されたか否かによって、再生指示があったか否かを判定する（ステップＳ４）。なお、ここでのユーザ選択や後述するユーザ選択は、いずれもマイコン２７からの入力により判別できる。そして、再生指示があった時点で、図５のＵＩ画像４１のような、サーバ装置の選択のためのＵＩ画像を表示部１７に表示させる（ステップＳ５）。ＵＩ画像４１では、ＤＬＮＡ処理部２５での接続テストにより検出された、ＤＬＮＡ−ｔｅｓｔｓｅｒｖｅｒ０１、ｓｅｒｖｅｒ０３、ｗｍｐ−ｓｅｒｖの３つのサーバ装置を示す画像４１ａ，４１ｂ，４１ｃが、ユーザ選択可能に表示されている。
【００６２】
続いて、コンテンツ選択部２６は、ＵＩ画像４１において画像４１ａ，４１ｂ，４１ｃのいずれかが選択されたときに、選択された画像（例えば画像４１ｂが選択されたとして説明する）のサーバ装置（ｓｅｒｖｅｒ０３）のルートフォルダ内のコンテンツ（フォルダも含む）のリストを表示部１７に表示させる（ステップＳ６）。この例では、図６のＵＩ画像４２のように、ルートフォルダの直下に、ＰＨＯＴＯ、ＭＵＳＩＣ、ＶＩＤＥＯといったフォルダを示す画像４２ａ，４２ｂ，４２ｃが、ユーザ選択可能に表示されている。この例では、ＵＩ画像４０において、「写真を見る」の画像４０ａが選択された場合を説明している。
【００６３】
コンテンツ選択部２６は、いずれかのフォルダがユーザによって選択されたのか否かを判定し（ステップＳ７）、ＹＥＳの場合にはユーザ選択されたフォルダ内のコンテンツ（及び下層フォルダ）のリストのＵＩ画像を表示部１７に表示させる（ステップＳ８）。なお、ステップＳ６，Ｓ８において、この例では、最初に「写真を見る」を選択しているため、基本的には写真ファイルとフォルダ（好ましくは写真ファイルを１つでも含むフォルダのみ）とのリストを表示しておくだけでよい。
【００６４】
ステップＳ７でＮＯの場合、及びステップＳ８の処理後、コンテンツ選択部２６は、いずれかのファイルがユーザによって選択されたのか否かを判定し（ステップＳ９）、ＮＯの場合にはステップＳ７へ戻る。ここで、図６のＵＩ画像４２において、画像４２ａが選択され、さらにそのフォルダ「ＰＨＯＴＯ」内のコンテンツ及びフォルダのリストが表示された後、フォルダの１つである「ＰＨＯＴＯ０１」が選択されたものと想定して説明する。このような選択がなされた場合、コンテンツ選択部２６は、図７のＵＩ画像４３のようなＵＩ画像を表示部１７に表示させる。ＵＩ画像４３には、フォルダ「２００４」の画像４３ａ、フォルダ「２００７０５−スペイン」の画像４３ｂ、写真ファイル「ＩＭＧＰ０９４２．ＪＰＧ」の画像４３ｃなどが、ユーザ選択可能に表示されている。さらに、図７のＵＩ画像４３において、フォルダ「２００７０５−スペイン」の画像４３ｂが選択されている場合には、その隣りにそのサムネイル（例えば最初の写真ファイルのサムネイル）４３ｄが表示される。
【００６５】
一方、ステップＳ９でＹＥＳの場合には、その選択されたファイルを選択して、ＤＬＮＡ処理部２５に伝えて、図８のＵＩ画像４４のように、その写真ファイルを表示部１７で再生させる（ステップＳ１０）。図７の表示状態において、決定ボタンの押下などにより画像４３ｂの選択が確定した場合に自動的にその最初の写真ファイルが選択された場合、或いは像４３ｂの選択が確定しさらに次のＵＩ画像でその最初の写真ファイルが選択された場合、最初の写真ファイルから一定間隔で次の写真ファイルを表示するスライドショーが表示部１７に表示され、例えば図８のＵＩ画像４４のようになる。
【００６６】
このように、ユーザは、最初、ルートからフォルダを辿っていき、より階層の深いフォルダへと移行して再生させたいコンテンツを探し、再生させることができる。
【００６７】
ステップＳ１０のファイル再生の処理後、コンテンツ選択部２６の履歴管理部３２は、履歴ＤＢに最後に再生されたファイル（この例では写真ファイル）のパスを記録し、スライドショーの進行に応じてその記録を更新していく（ステップＳ１１）。これにより、履歴ＤＢ３３には、ユーザが再生終了操作（後述のステップＳ１４）を行ったときの写真ファイルのパスが、１つの再生履歴として格納できる。このように、再生履歴としては、１回のＤＬＮＡ機能の起動後に終了させるまでのパスのうち、最後のパスのみを記録しておけばよい。１回のＤＬＮＡ機能の終了毎に１つの再生履歴が記録できるが、復元再生制御の方法によっては、ＤＬＮＡ機能終了毎の再生履歴を記録する必要がない場合もあり、極端な例では最後にＤＬＮＡ機能を終了したときの再生履歴１つのみ残しておけば済む。
【００６８】
ステップＳ１１に続き、コンテンツ選択部２６は、フォトフレームモードがユーザによって選択されたか否かを判定する（ステップＳ１２）。ここで、「フォトフレームモード」とは、自動画像再生機能がオンとなったモード、つまり自動画像再生モードを指すものとする。
【００６９】
そのため、例えば図８のＵＩ画像４４において「メニュー表示」をユーザが選択可能に表示しておき、それをユーザが選択すると、図９のＵＩ画像４５のような、メニュー画像４６をユーザ操作により表示するようにしておけばよい。なお、ここではメニュー画像４６の表示によりスライドショーが一時停止している例を挙げているが、一時停止しなくてもよい。
【００７０】
メニュー画像４６には、フォトフレームモードをオンにするかオフにするかの設定を行う選択領域４６ｇの他に、この写真の印刷をテレビ装置に接続された印刷機器で実行するための選択領域４６ａ、写真一覧（写真ファイルのリスト）を表示させるための選択領域４６ｂ、フル画面表示やワイド画面表示やノーマル画面表示等の間で表示モードの切換を行うための選択領域４６ｃ、再度現在の写真ファイルをリピートするか否かを設定するための選択領域４６ｄ、スライドショーの間隔を設定するための選択領域４６ｅ、ＢＧＭの再生を行うか否かを設定するための選択領域４６ｅ、接続機器（接続先のサーバ装置）を変更する設定を行うための選択領域４６ｈ、初期画面へ戻るための選択領域４６ｉが、ユーザ選択可能に表示されている。なお、初期画面とは、図４のＵＩ画像４０を指すが、再生履歴が生じた場合には図１４で後述するような接続先が指定されたＵＩ画像となる。
【００７１】
ステップＳ１２でＹＥＳの場合には、コンテンツ選択部２６は、フォトフレームモードをオンに設定し、その情報を履歴ＤＢ３３での再生履歴の格納先と同じＥＥＰＲＯＭ等のメモリに記録しておく（ステップＳ１３）。ステップＳ１３の処理後、及びステップＳ１２でＮＯの場合、コンテンツ選択部２６は、再生を終了するユーザ操作があったか否かを判定し（ステップＳ１４）、ＮＯの場合にはステップＳ１０へ戻りファイルの再生を継続し、ＹＥＳの場合には処理を終了する。
【００７２】
このように、テレビ装置は、サーバ装置に接続するためのユーザ操作が入力されたときにフォトフレームモード（上記復元再生制御を実行するモード）をオンするか否かを、ユーザ操作により設定するモード設定部を備えることが好ましい。このようなモード設定部を備えることで、ユーザが望む再生が可能となる。
【００７３】
そして、図１２等に基づき後述するように、ＤＬＮＡ処理部２５及びコンテンツ選択部２６は、フォトフレームモード時のみ、サーバ装置に接続するためのユーザ操作（ＤＬＮＡ機能を使用するためのユーザ操作）が入力されたときに、復元再生制御を実行する。
【００７４】
写真ファイルの再生例を挙げたが、音楽ファイルの場合も同様である。図１０は、図４のＵＩ画像において「音楽を聴く」をユーザが選択し、さらに下層のフォルダ「ＭＵＳＩＣ０１」をユーザが選択したときに表示されるＵＩ画像の一例を示す図である。また、図１１は、図１０のＵＩ画像において「Ｗｏｕｌｄ’ｎｔ  ｉｔ  ｂｅ  ｎｉｃｅ」をユーザが選択したときに表示されるＵＩ画像の一例を示す図である。
【００７５】
図４のＵＩ画像４０において、「音楽を聴く」の画像４０ｂを選択すれば、サーバ選択画面、音楽ファイル選択画面（図１０のＵＩ画像４７で例示）、音楽再生画面（図１１のＵＩ画像４８で例示）などの表示部１７での表示を、ユーザ操作により切替ながら、最終的に選択された音楽ファイルをスピーカ２１で再生させることができる。その音楽ファイルの再生が終了したときには、次の音楽ファイルの再生を開始させるなどすればよい。ＵＩ画像４７ではフォルダ「ＡＱＵＯＳ」の画像４７ａや音楽ファイル「Ｗｏｕｌｄ’ｎｔ  ｉｔ  ｂｅ  ｎｉｃｅ」の画像４７ｂなどの中から、画像４７ｂが選択・決定され、表示領域４７ｃに、図１１のＵＩ画像４８における表示領域４８ｃで示すように再生中の音楽に関する情報が表示された例を挙げている。なお、図１１において、画像４８ａ，４８ｂはそれぞれ図１０の画像４７ａ，４７ｂと同じである。
【００７６】
このようにして再生された音楽ファイルについても写真ファイルと同様に、ステップＳ１１の処理によりパスが再生履歴として履歴ＤＢ３３に記録される。
【００７７】
次に、図３のステップＳ１５の処理に相当するフォトフレームモード／レジュームモードでの処理について、図１２に沿って説明する。図１２は、図１のテレビ装置において実行される再生処理のうち、図３におけるフォトフレームモード／レジュームモードでの処理の一例を説明するためのフロー図である。また、図１３は、図１２の処理においてフォトフレームモード時に表示されるＵＩ画像の例を示す図、図１４は、図１２の処理においてレジュームモード時に表示されるＵＩ画像の例を示す図、図１５は、図１４のＵＩ画像において「写真を見る」をユーザが選択したときに表示されるＵＩ画像の一例を示す図である。
【００７８】
コンテンツ選択部２６は、通信制御部２４での通信により、再生履歴のパスが示すサーバ装置（つまり再生履歴の写真ファイルが格納されたサーバ装置）に接続可能であるか否かを判定し（ステップＳ２１）、ＮＯであれば、図３のステップＳ３〜Ｓ１４で説明したような初期画面の表示などによる初期モードでの処理を実行する（ステップＳ２７）。
【００７９】
ステップＳ２１でＹＥＳの場合、コンテンツ選択部２６は、再生履歴のパスが示すフォルダ（つまり再生履歴の写真ファイルが格納されたフォルダ）が存在し、且つそのフォルダ内にその写真ファイルが存在するか否かを判定する（ステップＳ２２）。ステップＳ２２でＮＯの場合にはステップＳ２７へ進む。
【００８０】
ステップＳ２２でＹＥＳの場合、フォトフレームモードがオンの設定になっているか否かを判定する（ステップＳ２３）。なお、特に説明しないが、図１２の処理においても、フォトフレームモードの設定が可能にしておけばよい。
【００８１】
ステップＳ２３でＮＯの場合、コンテンツ選択部２６は、レジュームモードに移行し、図１４のＵＩ画像５５のような選択画像を表示部１７に表示させる（ステップＳ２４）。ＵＩ画像５５には、「写真を見る」の画像５５ａ、「音楽を聴く」の画像５５ｂがユーザ選択可能に表示されており、図４のＵＩ画像４０とは異なり各画像５５ａ，５５ｂには履歴ＤＢ３３に記録された写真ファイル、音楽ファイルへのパスの情報が表示されている。ここでは、接続先とフォルダ名とだけが表示されているが、ファイル自体も表示させてもよい。なお、写真ファイル、音楽ファイルのうち、いずれかの再生履歴が無ければ、再生履歴の無い方には接続先やフォルダが未選択として表示しておけばよい。このように、パスの情報が表示されているだけでも、再生履歴に基づく処理を行っていることをユーザに知らせることができるが、レジュームモードであることをＵＩ画像に明示してもよい。
【００８２】
コンテンツ選択部２６は、このうちいずれかがユーザ選択されたか否かによって、再生指示があったか否かを判定する（ステップＳ２５）。そして、再生指示があった時点で、図１５のＵＩ画像５６のような、その接続先及びフォルダ内にあるファイルのリストを含むＵＩ画像を表示部１７に表示させる。ＵＩ画像５６では、ＵＩ画像５５において画像５５ａが選択され、そのフォルダ「２００７０５−スペイン」内の写真ファイルの画像（選択するための画像）５６ａなどが表示されており、画像５６ａを選択することでそのサムネイル５６ｂも表示されている。この選択後、決定ボタン等の操作により、この写真ファイルのみの表示を行わせる（ステップＳ２６）か、或いは、この写真ファイルからのスライドショーを再生する。
【００８３】
若しくは、ステップＳ２５でＹＥＳとなった時点でこの写真ファイルのみの表示又はこの写真ファイルからのスライドショーの表示を行ってもよい。ここで、どのような処理を実行するかはユーザ設定可能としておけばよい。
【００８４】
ステップＳ２６の処理後、コンテンツ選択部２６は、再生を終了するユーザ操作があったか否かを判定し（ステップＳ３４）、ＮＯの場合には処理を継続し、ＹＥＳとなるのを待って、処理を終了する。
【００８５】
一方、ステップＳ２３でＹＥＳの場合、コンテンツ選択部２６は、フォトフレームモードに移行し、そのフォルダ内の最初の写真ファイル又はパスに記されている写真ファイルから、スライドショーの表示を開始する（ステップＳ２８）。
【００８６】
より詳細に説明すると、図１３のＵＩ画像５０のように機器に接続中であることを示す画像５０ａを表示し、その中に「終了」ボタンを押すと初期画面（図１４のＵＩ画像５５と同じ、写真／音楽の選択画像５４ａ，５４ｂを含むＵＩ画像５４）を表示する旨を示す文章５０ｂを表示しておく。また、画像５０ａのように、フォトフレームモードであることを明示することが好ましい。写真ファイルの取得に時間がかかる場合には、ＵＩ画像５１のように写真が取得中であることを示す文章５１ａを含むＵＩ画像を表示しておけばよい。ＵＩ画像５１には、中止する場合に「戻る」ボタンを押せばよいことを示す文章５１ｂも表示しておくとよい。「戻る」ボタンが操作されるとＵＩ画像５２に示すように、フォルダやファイルを選択するための画像５２ａとそのサムネイル５２ｂとを含むＵＩ画像を表示させるとよい。一方、写真ファイルの取得までに「戻る」ボタンが操作されなければ、スライドショーをＵＩ画像５３のように開始すればよい。
【００８７】
そして、スライドショーの開始後、コンテンツ選択部２６は、ＢＧＭの設定がオンになっているか否かを判定し（ステップＳ２９）、ＮＯであればステップＳ３４へ進む。ＹＥＳであれば、コンテンツ選択部２６は、再生履歴の音楽ファイルのサーバ装置に接続可能であるか否かを判定し（ステップＳ３０）、ＹＥＳであれば再生履歴のフォルダが存在し且つそのフォルダ内に音楽ファイルがあるか否かを判定する（ステップＳ３１）。ステップＳ３１でＹＥＳの場合、そのフォルダ内の最初の音楽ファイルから、或いは再生履歴としてパスが記された音楽ファイルから、再生を実行してスピーカ２１からＢＧＭとして出力する（ステップＳ３２）。一方、ステップＳ３０でＮＯの場合、及びステップＳ３１でＮＯの場合には、再生履歴の格納先と同じメモリ又はＲＯＭ２９などに予め格納した内蔵の音楽ファイル又は音楽ファイル群をＢＧＭとして再生してスピーカ２１から出力する（ステップＳ３３）。ステップＳ３２，Ｓ３３の処理後は、ステップＳ３４へ移行する。
【００８８】
なお、ステップＳ２９〜Ｓ３３の処理は勿論、スライドショーの開始（ステップＳ２８）の直前に実行しておいてもよく、その場合、ステップＳ２９でＮＯの場合にはステップＳ２８へ即移行させておけばよい。
【００８９】
このように、フォトフレームモードでは、ＤＬＮＡ機能の起動さえすれば、ユーザ操作なしでネットワークコンテンツを楽しむことができる。
【００９０】
ステップＳ２８，Ｓ３３で説明したように、ＤＬＮＡ処理部２５及びコンテンツ選択部２６が実行する復元再生制御は、再生履歴から、前回最後に再生した音楽ファイルが格納されたフォルダを示すパスへの接続を復元して、接続したフォルダ内の音楽ファイルをスピーカ２１で再生させると共に、前回最後に再生した写真ファイルが格納されたフォルダを示すパスへの接続を復元して、接続したフォルダ内の写真ファイルを表示部１７で再生させるようにしてもよい。この復元再生制御を、以下、第１復元再生制御と呼ぶ。
【００９１】
また、この第１復元再生制御では、履歴管理部３２は、スピーカ２１で再生した音楽ファイルへのパスの代わりにその音楽ファイルの格納フォルダへのパスを記録しておくだけでもよく、同様に表示部１７で再生した写真ファイルへのパスの代わりにその写真ファイルの格納フォルダへのパスを記録しておくだけでもよい。
【００９２】
さらに、第１復元再生制御では、音楽ファイルの格納フォルダと写真ファイルの格納フォルダとが同じにしておいた場合、つまり予め同時に再生する音楽ファイルと写真ファイルとを同じフォルダに格納しておくルールを決めておけば、再生履歴は１回の再生につき１つのフォルダへのパスだけで済むだけではなく、音楽ファイルのみの再生履歴が存在した場合でも或いは写真ファイルのみの再生履歴が存在した場合でも、同時再生が可能となる。
【００９３】
一方で、同じくステップＳ２８，Ｓ３３で説明したように、ＤＬＮＡ処理部２５及びコンテンツ選択部２６が実行する復元再生制御は、再生履歴から、前回最後に再生した音楽ファイルを示すパスへの接続を復元して、その音楽ファイルをスピーカ２１で再生させると共に、前回最後に再生した写真ファイルを示すパスへの接続を復元して、その写真ファイルを表示部１７で再生させるようにしてもよい。この復元再生制御を、以下、第２復元再生制御と呼ぶ。
【００９４】
また、復元再生制御として、第１復元再生制御、第２復元再生制御のうち、いずれを実行するかを、ユーザ操作により設定する復元方法設定部を備えるようにしてもよく、この設定内容も再生履歴の格納先と同じメモリなどに記録しておけばよい。
【００９５】
また、復元再生制御は、再生履歴から、前回最後に再生した音楽ファイルが格納されたフォルダの次のフォルダ（次の再生順のフォルダ）を示すパスへの接続を復元して、接続したフォルダ内の音楽ファイルをスピーカ２１で再生させると共に、前回最後に再生した写真ファイルが格納されたフォルダの次のフォルダ（次の再生順のフォルダ）を示すパスへの接続を復元して、接続したフォルダ内の写真ファイルを表示部１７で再生させるようにしてもよい。この復元再生制御を、以下、第３復元再生制御と呼ぶ。
【００９６】
なお、この第３復元再生制御においても、第１復元再生制御と同様に、履歴管理部３２は、再生した音楽ファイルの格納フォルダや写真ファイルの格納フォルダへのパスを記録しておくだけでもよく、さらに、音楽ファイルの格納フォルダと写真ファイルの格納フォルダとが同じにしておいた場合には、再生履歴は１回の再生につき１つのフォルダへのパスだけで済むだけではなく、音楽ファイルのみの再生履歴が存在した場合でも或いは写真ファイルのみの再生履歴が存在した場合でも、同時再生が可能となる。
【００９７】
また、復元再生制御は、再生履歴から、前回最後に再生した音楽ファイルの次の音楽ファイル（次の再生順の音楽ファイル）を示すパスへの接続を復元して、その音楽ファイルをスピーカ２１で再生させると共に、前回最後に再生した写真ファイルの次の写真ファイル（次の再生順の写真ファイル）を示すパスへの接続を復元して、その写真ファイルを表示部１７で再生させるようにしてもよい。この復元再生制御を、以下、第４復元再生制御と呼ぶ。
【００９８】
上述した第３復元再生制御に関し、次の再生順のフォルダのパスを得るためには、再生履歴としてテレビ装置の履歴ＤＢ３３に記録したパス（パスがファイル自体を表す場合にはその手前までのパス）と共に、次のフォルダ（次のフォルダがなければ上位フォルダか次のファイル）を指定する指示をサーバ装置に対して行うだけで、サーバ装置のファイルシステムで選択することができる。また、接続したサーバ装置のディレクトリ構造を取得して、その情報を元に次のフォルダを指定して選択するようにしておいてもよい。
【００９９】
上述した第４復元再生制御に関し、次の再生順のファイルのパスを得る場合にも、同様に、再生履歴としてテレビ装置の履歴ＤＢ３３に記録したパスと共に、次のファイル（次のファイルがなければ次のフォルダか上位フォルダ）を指定する指示をサーバ装置に対して行うだけで、サーバ装置のファイルシステムで選択することができる。また、接続したサーバ装置のディレクトリ構造を取得して、その情報を元に次のファイルを指定して選択するようにしておいてもよい。なお、第３、第４の復元再生制御に関して説明したこれらのパス取得方法は、階層を辿って目的のファイルをユーザが探すときにも利用される。
【０１００】
さらに、復元再生制御として、復元方法設定部が、第３復元再生制御、第４復元再生制御のうちいずれを実行するかを、ユーザ操作により設定するようにしてもよい。また、復元方法設定部は、第１〜第４の復元再生制御のうちいずれを実行するかを、ユーザ操作により設定するようにしてもよい。また、再生制御部が、第１〜第４の復元再生制御のうちいずれか複数のみ実行可能としておき、実行可能な復元再生制御のうちいずれを実行するかを、ユーザ操作により設定するようにしてもよい。
【０１０１】
また、図１２の処理では図示していないが、コンテンツ選択部２６は、復元再生制御の際に、再生の対象となる音楽ファイル又は写真ファイルが見つからない場合、前回より前に再生した音楽ファイル又は写真ファイルに関するパスへの接続を復元し、再生させることが好ましい。なお、ここで復元され再生されるファイルは、例えば第１〜第４の復元再生制御のいずれが実行されるかにより異なることになる。このような処理により、前回再生した音楽ファイルに関するパスがなければ、前々回再生したファイルに関するパスを探し、さらに見つからなければ前々回の前回再生したファイルに関するパスを探すことになる。このように、再生ができるまで、過去に履歴を遡った状態で復元することができる。
【０１０２】
また、このような複数回の再生履歴はレジュームモードにおいても利用できる。レジュームモードにおいて、履歴ＤＢ３３の再生履歴に基づき、履歴順に、リモコンの上下選局ボタンで履歴を選択可能なように構成し、選択後決定した再生履歴に対応するファイルのパス又はそのファイルが格納されたフォルダのパスで、ファイルの再生を行えるようにしてもよい。これにより、テレビ放送のチャンネルを変えるように、これまでに再生したファイルやフォルダを切り替えて、例えば下選局ボタンによりより過去の再生履歴に対応するものに切り替えて、写真と音楽を楽しむことができる。
【０１０３】
さらにステップＳ３３で説明したように、コンテンツ選択部２６は、復元再生制御の際に、再生の対象となる音楽ファイルが見つからない場合、テレビ装置内の例えばＲＯＭ２９等に予め格納した音楽ファイルを再生させることが好ましい。同様に、コンテンツ選択部２６は、復元再生制御の際に、再生の対象となる写真ファイルが見つからない場合、テレビ装置内に予め格納した写真ファイルを再生させることが好ましい。これらの内蔵音楽ファイルの再生と内蔵写真ファイルの再生とは併用できる。また、所定回数のパス検索によりファイルに関するパスが見つからなければ（例えば２回であれば、前々回再生したファイルに関するパスが見つからなければ）、内蔵ファイルの再生を行うようにしてもよい。
【０１０４】
このような内蔵ファイル再生の処理により、サーバ装置がダウンしている場合や既に再生対象のファイルが削除又は移動されている場合であっても、ネットワークの状態に係わらず、常に適当な音楽ファイル及び写真ファイルを再生してユーザに必ず提供することが可能になる。
【０１０５】
次に、図２の起動状態検知部３４を備えたコンテンツ選択部２６におけるフォトフレームモードでの処理例について、図１６を参照しながら説明する。図１６は、図１のテレビ装置において実行される再生処理のうち、フォトフレームモードでの他の処理例を説明するためのフロー図である。
【０１０６】
ＤＬＮＡ処理部２５及びコンテンツ選択部２６で例示した再生制御部は、サーバ装置に接続するためのユーザ操作（この例ではＤＬＮＡ機能を使用するためのユーザ操作）の種類に応じて、復元方法を変えるようにすることが好ましい。ここでいうユーザ操作の種類は、ＤＬＮＡ機能がオンとなった状態で電源オフされた後に電源がオンになった状態か、リモコンにより入力がＬＡＮ端子（つまりＤＬＮＡ機能を使ったサーバ装置）に切り替えられた状態であるか、などのＤＬＮＡ機能の起動状態と密接に関連している。
【０１０７】
従って、コンテンツ選択部２６は、ＤＬＮＡ処理部２５経由で受けるマイコン２７からの指示内容、つまりＤＬＮＡ機能を使用するためのユーザ操作により、ＤＬＮＡ機能の起動状態を把握することができる。起動状態検知部３４は、このようなマイコン２７からの指示内容に基づき、ＤＬＮＡ機能の起動状態を検知する。
【０１０８】
ここで説明する処理例では、まずこのようにして、起動状態検知部３４が検知した起動状態（電源オンによりＤＬＮＡ機能が起動したか、入力切替によりＤＬＮＡ機能が起動したかなど）を検知する（ステップＳ４１）。ここでは、起動状態が電源オンか入力切替かのいずれかで分ける例を挙げる。起動状態検知部３４は、電源オンによるＤＬＮＡ機能の起動を検知したか否かを判定する（ステップＳ４２）
【０１０９】
ステップＳ４２でＹＥＳの場合には、コンテンツ選択部２６にその検知情報を渡して、コンテンツ選択部２６が、再生履歴の写真ファイルのサーバ装置に接続可能で、且つ再生履歴のフォルダが存在し、且つそのフォルダ内に写真ファイルがあるか否かを判定する（ステップＳ４３）。ステップＳ４３でＹＥＳの場合には、コンテンツ選択部２６がパスに記された写真ファイル又はそのフォルダ内の先頭の写真ファイルを選択して、ＤＬＮＡ処理部２５がその写真ファイルから表示部１７でのスライドショーを開始する（ステップＳ４４）。ステップＳ４４の処理後、再生終了操作があったか否かを判定し（ステップＳ４５）、ＹＥＳになった時点で処理を終了する。また、ステップＳ４３でＮＯの場合には、初期モードでの処理を行って、例えば図１４のＵＩ画像５５を表示するなどすればよい（ステップＳ４６）。
【０１１０】
ここでは、起動状態が電源オンの場合には、電源オフから電源オンまでの期間に、電源オフ前に見ていた写真ファイルを忘れていることもあることを想定して、第２復元再生制御又は第１復元再生制御を採用した例を挙げている。
【０１１１】
一方、ステップＳ４２でＮＯの場合には、コンテンツ選択部２６にその検知情報を渡して、コンテンツ選択部２６が、再生履歴の写真ファイルのサーバ装置に接続可能で、且つ再生履歴のフォルダの次の再生順のフォルダが存在し、且つ次の再生順のフォルダ内に写真ファイルがあるか否かを判定する（ステップＳ４７）。ステップＳ４７でＮＯの場合には、ステップＳ４６へ移行する。ステップＳ４７でＹＥＳの場合には、コンテンツ選択部２６がパスに記された写真ファイルのフォルダの次のフォルダ内の先頭の写真ファイルを選択して、ＤＬＮＡ処理部２５がその写真ファイルから表示部１７でのスライドショーを開始する（ステップＳ４８）。
【０１１２】
ここでは、起動状態が電源オンでなく入力切替であり、ＤＬＮＡ機能から他の映像入力に切り替え、再度、ＤＬＮＡ機能での映像入力に戻すまでの期間は一般的に電源のオフ・オンの期間より短く、入力切替前に見ていた写真ファイルを忘れていることはないことを想定して、第３復元再生制御を採用した例を挙げている。
【０１１３】
このように、ＤＬＮＡ機能の起動状態に応じて、接続復元の方法を変えることで、ユーザのそのときの視聴に合った写真ファイルの再生が可能になる。また、音楽ファイルについては述べていないが、音楽ファイルについても同様の再生が可能であり、起動状態に応じてどのような復元方法を採用するかは、音楽ファイルと写真ファイルとで異ならせることもできる。
【０１１４】
また、起動状態とそれに対応する復元再生制御の方法との関係はこの例に限ったものではない。例えば、ＤＬＮＡ処理部２５及びコンテンツ選択部２６が、復元再生制御として、第１復元再生制御、第２復元再生制御、第３復元再生制御、第４復元再生制御のうち、複数（２〜４つのいずれか）の復元再生制御が実行可能となっている場合、サーバ装置に接続するためのユーザ操作の種類に応じて、様々な対応関係に従って復元方法を変えるようにすることができる。さらに、第１〜第４の復元再生制御に限らず、他の復元方法を採用することもできる。さらに、起動状態も、例えば現在時刻を参照して電源オフから電源オンとなってＤＬＮＡ機能が再起動するまでの経過時間や、入力切替でＤＬＮＡ機能が再起動するまでの経過時間などに基づいて、復元方法を変えるようにすることもできる。なお、現在時刻は、テレビ装置に、電源が切られていても現在時刻を刻み続けるＲＴＣ（Real Time Clock）を設けておくなどすればよい。
【０１１５】
次に、図２のユーザ適応部３５を備えたコンテンツ選択部２６におけるフォトフレームモードでの処理例について、簡単に説明する。ユーザ適応部３５は、履歴ＤＢ３３に蓄えられた再生履歴を元に、ユーザの利用パターンを判定（特定）し、履歴ＤＢ３３に記録しておく。そして、接続復元部３１からの指示により履歴管理部３２がその利用パターンを読み出し、接続復元部３１が、その利用パターンに合致するような復元再生制御を行う（復元方法を採用する）ようにすればよい。例えば、再生履歴としてアクセスの頻度をフォルダ毎やファイル毎に記録しておき、頻度が最も多いフォルダ内のファイルや頻度が元も多いファイルを、フォトフレームモードで直ぐに再生するようにしてもよい。
【０１１６】
以上、様々な処理例を挙げながら本発明のテレビ装置について説明したが、再生履歴の記録の方法としては、他の方法も採用できる。例えば、再生したファイルに拘わらず、最後にアクセスしてブラウズしたフォルダの履歴（閲覧履歴）を記録しておいてもよい。これにより、復元再生制御で前回終了時のブラウズ状態をそのまま再現することもできる。
【０１１７】
他の例として、ユーザが指定したフォルダを履歴（指定履歴）として記録するようにしてもよい。これにより、復元再生制御でユーザが最後に指定したフォルダ内のファイルを再生することもできる。特に、ユーザが指定しているフォルダであるため、ユーザが望んでいるコンテンツを提示することができる。
【０１１８】
また、以上の例では、再生履歴をどのようなサーバ装置であっても同様に記録したが、サーバ装置毎に分けて記録しておき、それを復元再生時に利用してもよい。また、写真ファイルを提供するサーバ装置と音楽ファイルを提供するサーバ装置とが違う場合、その組み合わせ毎に分けて、再生履歴を記録しておき、それを復元再生時に利用してもよい。
【符号の説明】
【０１１９】
１０…アンテナ、１１…チューナ、１２…復調部、１３…ＯＳＤ制御部、１４…映像デコーダ、１５…画質補正部、２０…Ｄ／Ａ変換部、１７…表示部、１８…音声デコーダ、１９…音質補正部、２１…スピーカ、２２…バックライト制御部、２３…Ｒ／Ｃ受信部、２４…通信制御部、２５…ＤＬＮＡ処理部、２６…コンテンツ選択部、２７…マイコン、２８…ＲＡＭ、２９…ＲＯＭ、３１…接続復元部、３２…履歴管理部、３３…履歴ＤＢ、３４…起動状態検知部、３５…ユーザ適応部。
【図１】
2010258778.tif 000003
【図２】
2010258778.tif 000004
【図３】
2010258778.tif 000005
【図４】
2010258778.tif 000006
【図５】
2010258778.tif 000007
【図６】
2010258778.tif 000008
【図７】
2010258778.tif 000009
【図８】
2010258778.tif 000010
【図９】
2010258778.tif 000011
【図１０】
2010258778.tif 000012
【図１１】
2010258778.tif 000013
【図１２】
2010258778.tif 000014
【図１３】
2010258778.tif 000015
【図１４】
2010258778.tif 000016
【図１５】
2010258778.tif 000017
【図１６】
2010258778.tif 000018